(57)【要約】【課題】出金装置において、装置構成のニーズの変化に対応する。【解決手段】出金装置１は、紙幣Ｂを１枚ずつ搬送する搬送路１３と、搬送路１３における紙幣排出方向Ｄの先端に設けられた排出口１４とを有する本体部１０と、排出口１４において本体部１０に対し着脱自在に固定され、１枚ずつ搬送される紙幣Ｂを複数枚まとめて出金する紙幣束出金部２０と、紙幣束出金部２０から紙幣Ｂを回収する紙幣回収部３０と、を備える。【選択図】図１
2014238728.tif 000002
【特許請求の範囲】
【請求項１】
紙幣を１枚ずつ搬送する搬送路と、該搬送路における紙幣排出方向の先端に設けられた排出口とを有する本体部と、
前記排出口において前記本体部に対し着脱自在に固定され、前記１枚ずつ搬送される紙幣を複数枚まとめて出金する紙幣束出金部と、
前記紙幣束出金部から前記紙幣を回収する紙幣回収部と、
を備えることを特徴とする出金装置。
【請求項２】
前記紙幣回収部は、前記紙幣束出金部から前記紙幣を回収する第１の回収部と、該第１の回収部と一体に設けられ前記本体部の前記搬送路から前記紙幣を回収する第２の回収部と、を有することを特徴とする請求項１記載の出金装置。
【請求項３】
前記紙幣束出金部は、互いに同一の面において、前記本体部の前記排出口から前記紙幣を受けるとともに前記紙幣回収部に前記紙幣を送り出すことを特徴とする請求項１又は請求項２記載の出金装置。
【請求項４】
前記紙幣回収部は、前記本体部に対し着脱自在に固定されていることを特徴とする請求項１から請求項３のいずれか１項記載の出金装置。
【発明の詳細な説明】
【技術分野】
【０００１】
本明細書で論じられる実施の形態は、紙幣を出金する出金装置に関する。
【背景技術】
【０００２】
従来、現金自動預け払い機（ＡＴＭ：Auto Teller Machine）においては、紙幣を複数枚まとめて出金する装置が広く用いられている。このような、紙幣を複数枚まとめて出金する装置では、取り忘れられた紙幣はリジェクトボックスなどの紙幣回収部に回収される。（例えば、特許文献１参照）
【０００３】
一方、出金専用の出金装置においては、紙幣を複数枚まとめて出金する装置のほか、紙幣を１枚ずつ出金する装置も用いられている。
【０００４】
なお、出金部分の構造ではなく、入金部分の構造ではあるが、複数枚一括投入された紙幣及び硬貨を判別し金種及び枚数を確定するために、着脱可能な貨幣一時預かり装置を装着された貨幣入出金機が知られている（例えば、特許文献２参照）。
【先行技術文献】
【特許文献】
【０００５】
【特許文献１】特開２０１０−３３４１６号公報
【特許文献２】特開２００１−２６６２１１号公報
【発明の概要】
【発明が解決しようとする課題】
【０００６】
ところで、上述の出金専用の出金装置においては、紙幣を複数枚まとめて出金する装置は、紙幣を受け取る出金者側にとって受け取りやすいという利点がある。また、紙幣を１枚ずつ出金する装置は、紙幣をまとめるための構造が不要であるため、構造が簡素であるという利点がある。
【０００７】
そのため、出金装置を設置する場合、紙幣を複数枚まとめて出金する装置と紙幣を１枚ずつ出金する装置とのうち一方の装置を、ニーズに合わせて選択して購入し、設置することになる。他方の装置が必要になった場合、設置してあった一方の装置を他方の装置に交換することになる。
【０００８】
１つの側面では、本発明の目的は、装置構成のニーズの変化に対応することができる出金装置を提供することである。
【課題を解決するための手段】
【０００９】
開示の出金装置は、
紙幣を１枚ずつ搬送する搬送路と、該搬送路における紙幣排出方向の先端に設けられた排出口とを有する本体部と、
前記排出口において前記本体部に対し着脱自在に固定され、前記１枚ずつ搬送される紙幣を複数枚まとめて出金する紙幣束出金部と、
前記紙幣束出金部から前記紙幣を回収する紙幣回収部と、
を備える。
【発明の効果】
【００１０】
開示の出金装置によれば、装置構成のニーズの変化に対応することができる。
【図面の簡単な説明】
【００１１】
【図１】実施の形態に係る、紙幣束出金部を装着した状態の出金装置を示す内部構成図である。
【図２】実施の形態に係る、紙幣束出金部を取り外した状態の出金装置を示す内部構成図（その１）である。
【図３】実施の形態に係る、紙幣束出金部を取り外した状態の出金装置を示す内部構成図（その２）である。
【発明を実施するための形態】
【００１２】
以下、実施の形態に係る出金装置１について、図面を参照しながら説明する。
図１は、実施の形態に係る、紙幣束出金部２０を装着した状態の出金装置１を示す内部構成図である。
【００１３】
出金装置１は、本体部１０と、紙幣束出金部２０と、紙幣回収部３０と、を備える。
本体部１０は、第１のカセット１１と、第２のカセット１２と、搬送路１３と、排出口１４と、排出ローラ対１５と、センサ１６と、ゲート１７と、を有する。
【００１４】
第１のカセット１１及び第２のカセット１２は、出金用の紙幣Ｂ（紙幣束出金部２０内に図示）を収容する。カセットを配置する数は、出金する紙幣Ｂの金種に合わせて適宜設定すればよい。
【００１５】
搬送路１３は、紙幣Ｂを１枚ずつ搬送する。搬送路１３は、第１のカセット１１から紙幣Ｂを搬送する部分（搬送路１３ａ）と、第２のカセット１２から紙幣Ｂを搬送する部分（搬送路１３ｂ）と、これらの合流した部分（搬送路１３ｃ）と、紙幣排出方向Ｄの先端に設けられた排出口１４へ紙幣Ｂを搬送する部分（搬送路１３ｄ）と、後述する第２の回収部３２に紙幣Ｂを搬送する部分（搬送路１３ｅ）と、を有する。
【００１６】
排出口１４は、紙幣束出金部２０へ紙幣Ｂを排出するために形成されている。詳しくは後述するが、出金装置１は、紙幣束出金部２０が取り外された状態で用いられることも可能である。その場合、排出口１４は、出金口として機能することができる。
【００１７】
排出ローラ対１５は、排出口１４に設けられ、紙幣Ｂを紙幣排出方向Ｄに繰り出す。排出ローラ対１５は、搬送路１３ｄを挟んで対向する一対のローラ１５ａ，１５ｂである。なお、ローラは、搬送路１３においても配置されるが、それらの図示は省略する。
【００１８】
センサ１６は、上記の合流した部分の搬送路１３ｃに設けられ、紙幣Ｂが異常（例えば、折れ、斜行、真贋など）であるかを検知する。
【００１９】
ゲート１７は、センサ１６により正常と検知された紙幣Ｂを排出口１４（搬送路１３ｄ）に向けてガイドする位置Ｐ１と、センサ１６により異常と判断された紙幣Ｂを第２の回収部３２（搬送路１３ｅ）に向けてガイドする位置Ｐ２とをとる。このように、ゲート１７は、１つの搬送路１３ｃを２つの搬送路１３ｄ，１３ｅに分岐させる。
【００２０】
紙幣束出金部２０は、紙幣束載置部２１と、第１の面２２と、第２の面２３と、シャッター２４と、を有する。紙幣束出金部２０は、本体部１０に対し着脱自在に固定され、本体部１０の排出口１４から１枚ずつ排出される紙幣Ｂを複数枚まとめて出金する。
【００２１】
なお、紙幣束出金部２０は、出金枚数が１枚のみである場合は、１枚のみ出金することも可能である。
【００２２】
紙幣束載置部２１には、本体部１０の排出口１４から排出される紙幣Ｂが載置される。紙幣束載置部２１には、排出口１４から１枚ずつ紙幣Ｂが載置されるため、積層される紙幣Ｂを整列させる機構が設けられているとよい。
【００２３】
第１の面２２には、出金口２２ａが形成されている。この出金口２２ａは、シャッター２４によって開閉する。シャッター２４は、例えば、出金装置１の制御部の制御により開閉する。
【００２４】
紙幣束出金部２０は、例えば紙幣回収部３０が排出口１４の下方に配置されることで、互いに同一の面（第１の面２２に対向する第２の面２３）において、本体部１０の排出口１４から紙幣Ｂを受けるとともに紙幣回収部３０（後述する第１の回収部３１）に紙幣Ｂを送り出す。つまり、本体部１０の排出口１４は、紙幣回収部３０の回収口３１ａと同一面上に設けられている。
【００２５】
紙幣回収部３０は、紙幣束出金部２０から紙幣Ｂを回収する第１の回収部３１と、この第１の回収部３１と一体に設けられ本体部１０の搬送路１３ｅから紙幣Ｂを回収する第２の回収部３２と、を有する。
【００２６】
紙幣回収部３０は、本体部１０に対し例えば着脱自在に固定されている。なお、第１の回収部３１と第２の回収部３２とは、構成の簡素さの観点では一体に設けられることが望ましいが、別体に設けられてもよい。その場合、第１の回収部３１と第２の回収部３２とが隣接して配置されなくともよい。
【００２７】
第１の回収部３１には、第２の回収部３２とは反対側の紙幣束出金部２０側に回収口３１ａが形成されている。また、第２の回収部３２には、第１の回収部３１とは反対側の搬送路１３ｅ側に回収口３２ａが形成されている。
【００２８】
上述の図１に示す出金装置１は、出金者側の空間と出金装置１が配置される空間とを仕切る状況などでは、第１の外装１０１内に配置される。その場合、出金装置１のうち紙幣束出金部２０の少なくとも出金口２２ａが第１の外装１０１の外部に露出することになる。図１の例では、紙幣束出金部２０の一部が第１の外装１０１から外部に突出するように、出金装置１が配置されている。なお、出金装置１は、第１の外装１０１内に配置されなくともよい。
【００２９】
図２は、本実施の形態に係る、紙幣束出金部２０を取り外した状態の出金装置１を示す内部構成図（その１）である。
【００３０】
図２に示す出金装置１自体の構成は、紙幣束出金部２０が取り外されたこと以外は、図１に示す出金装置１と同一である。
【００３１】
図２に示す出金装置１は、第２の外装１０２に配置されている。上記のとおり、本体部１０の排出口１４が出金口として機能することができるため、出金装置１は、排出口１４が第２の外装１０２に外部に露出するようにしてもよい。
【００３２】
しかし、図２に示すように排出口１４が第２の外装１０２の内部に奥まって配置されている場合、出金された紙幣Ｂが例えば筒状のガイド１０３により第２の外装１０２の外部側にガイドされるようにするとよい。
【００３３】
これにより、ガイド１０３によりガイドされた紙幣Ｂは、例えば第２の外装１０２に配置されたシャッター１０２ａが開放することで、第２の外装１０２の外部から取り出すことができる。但し、出金者がガイド１０３の紙幣Ｂを取り損ねた場合、その紙幣Ｂは、紙幣回収部３０により回収されない。なお、第２の外装１０２のシャッター１０２ａは、例えば、出金装置１自体の制御部の制御により、又は出金装置１とは別体の出金動作を操作する操作装置に配置された制御部の制御により開閉されるが、手動で開閉されるようにしてもよい。
【００３４】
第１の回収部３１は、紙幣束出金部２０が取り外されたことで紙幣Ｂを回収しなくなるが、図２に示すように第２の外装１０２から露出しない場合、回収口３１ａを封鎖するなどの対処は不要である。
【００３５】
図３は、本実施の形態に係る、紙幣束出金部２０を取り外した状態の出金装置１を示す内部構成図（その２）である。
【００３６】
図３に示す出金装置１は、紙幣回収部３０を本体部専用紙幣回収部５０に変更したこと以外は、図２に示す出金装置１と同一である。
【００３７】
上述のように、第１の回収部３１は、紙幣束出金部２０を取り外したことで紙幣Ｂを回収しなくなる。そのため、紙幣束出金部２０を取り外した状態で出金装置１を用いる場合、紙幣回収部３０ではなく本体部専用紙幣回収部５０を用いるとよい。この本体部専用紙幣回収部５０は、第２の回収部３２と同様に、本体部１０の搬送路１３ｅから紙幣Ｂを回収する回収口５０ａを有する。
【００３８】
以上説明した本実施の形態では、出金装置１は、紙幣Ｂを１枚ずつ搬送する搬送路１３と、この搬送路１３における紙幣排出方向Ｄの先端に設けられた排出口１４とを有する本体部１０と、排出口１４において本体部１０に対し着脱自在に固定され、１枚ずつ搬送される紙幣Ｂを複数枚まとめて出金する紙幣束出金部２０と、この紙幣束出金部２０から紙幣Ｂを回収する紙幣回収部３０と、を備える。
【００３９】
これにより、紙幣束出金部２０を装着した状態では、出金装置１は、紙幣Ｂを複数枚まとめて出金するため、紙幣Ｂを受け取る出金者側にとって受け取りやすいという利点を得られる。また、紙幣束出金部２０を取り外した状態の出金装置１は、紙幣Ｂを複数枚まとめずに１枚ずつ出金するため、紙幣Ｂをまとめるための構造が不要であり、構造が簡素であるという利点を得られる。
【００４０】
よって、本実施の形態によれば、装置構成のニーズの変化に対応することができる出金装置１を提供することができる。更には、紙幣束出金部２０を装着した状態の出金装置１と、紙幣束出金部２０を取り外した状態の出金装置１とを別個に用意する必要が生じるのを防ぐことができたり、紙幣束出金部２０の装着状態と取り外し状態とで紙幣束出金部２０以外の部分における構造を共通化させ量産ロットが確保でき合理化につながったりするという効果も得られる。
【００４１】
また、本実施の形態では、紙幣回収部３０は、紙幣束出金部２０から紙幣Ｂを回収する第１の回収部３１と、この第１の回収部３１と一体に設けられ本体部１０の搬送路１３ｅから紙幣Ｂを回収する第２の回収部３２と、を有する。そのため、本体部１０に対して着脱自在に固定される紙幣束出金部２０から、簡素な構成で紙幣Ｂを回収することができる。
【００４２】
また、本実施の形態では、紙幣束出金部２０は、互いに同一の面（一例としては、出金口２２ａが形成された第１の面２２に対向する第２の面２３）において、本体部１０の排出口１４から紙幣Ｂを受けるとともに紙幣回収部３０（第１の回収部３１の回収口３１ａ）に紙幣Ｂを送り出す。そのため、簡素な構成で、紙幣束出金部２０から紙幣回収部３０に紙幣を回収することができる。
【００４３】
また、本実施の形態では、紙幣回収部３０は、本体部１０に対し着脱自在に固定されている。そのため、紙幣束出金部２０から紙幣Ｂを回収する第１の回収部３１と、この第１の回収部３１と一体に設けられ本体部１０の搬送路１３ｅから紙幣Ｂを回収する第２の回収部３２とを有する紙幣回収部３０に代えて、例えば、本体部１０の搬送路１３ｅのみから紙幣Ｂを回収する本体部専用紙幣回収部５０に変更することができるなど、より装置構成のニーズの変化に対応することができる。
【符号の説明】
【００４４】
１      出金装置
１０      本体部
１１      第１のカセット
１２      第２のカセット
１３（１３ａ〜１３ｅ）      搬送路
１４      排出口
１５      排出ローラ対
１５ａ      ローラ
１５ｂ      ローラ
１６      センサ
１７      ゲート
２０      紙幣束出金部
２１      紙幣束載置部
２２      第１の面
２２ａ      出金口
２３      第２の面
２４      シャッター
３０      紙幣回収部
３１      第１の回収部
３１ａ      回収口
３２      第２の回収部
３２ａ      回収口
５０      本体部専用紙幣回収部
５０ａ      回収口
１０１      第１の外装
１０２      第２の外装
１０２ａ      シャッター
１０３      ガイド
Ｂ      紙幣
Ｄ      紙幣排出方向
【図１】
2014238728.tif 000003
【図２】
2014238728.tif 000004
【図３】
2014238728.tif 000005